(57)【要約】【課題】ネットワーク等に多大な負荷を強制することなく、不正コピーコンテンツを検出できるコンテンツ配信受信システムを得る。【解決手段】コンテンツ配信装置１０は、コンテンツＩＤを電子透かしで埋め込む電子透かし埋め込み部１１と、コンテンツＩＤが埋め込まれた配信コンテンツを配信するコンテンツ配信部１２とを有し、ユーザ端末２０は、コンテンツを受信するコンテンツ受信部２１と、コンテンツからユーザＩＤを検出し、ユーザＩＤを検出しない場合は、正しい受信コンテンツとして出力し、ユーザＩＤを検出した場合には、不正な受信コンテンツとして出力せずに、検出した情報を出力する電子透かし検出部２２と、受信コンテンツに自ユーザ端末に割り当てられているユーザＩＤを電子透かしで埋め込む電子透かし埋め込み部２３と、受信コンテンツを表示する映像出力部２４と、検出情報を認証センター３０に通知する検出情報通知部２５とを有する。【選択図】図１
2006319722.tif 000002
【特許請求の範囲】
【請求項１】
コンテンツ配信装置、ユーザ端末、及び認証センターがネットワークに接続されたコンテンツ配信受信システムであって、
前記コンテンツ配信装置は、
配信コンテンツに割り当てられたコンテンツＩＤを電子透かしで埋め込む第１の電子透かし埋め込み部と、
前記第１の電子透かし埋め込み部によってコンテンツＩＤが埋め込まれた配信コンテンツを、前記ユーザ端末に対して配信するコンテンツ配信部とを有し、
前記ユーザ端末は、
前記コンテンツ配信装置から配信されたコンテンツを受信するコンテンツ受信部と、
前記コンテンツ受信部によって受信したコンテンツからユーザＩＤを検出し、前記ユーザＩＤを検出しない場合は、正しい受信コンテンツとして出力し、前記ユーザＩＤを検出した場合には、不正な受信コンテンツとして出力せずに、検出した情報を出力する電子透かし検出部と、
前記電子透かし検出部によって出力された正しい受信コンテンツに対して自ユーザ端末に割り当てられているユーザＩＤを電子透かしで埋め込む第２の電子透かし埋め込み部と、
前記第２の電子透かし埋め込み部によってユーザＩＤが埋め込まれた受信コンテンツを表示する映像出力部と、
前記電子透かし検出部から受け取った検出情報を前記認証センターに通知する検出情報通知部とを有する
ことを特徴とするコンテンツ配信受信システム。
【請求項２】
前記電子透かし検出部は、前記コンテンツ受信部によって受信したコンテンツから自ユーザ端末に割り当てられているユーザＩＤを検出した場合には、正しい受信コンテンツとして出力する
ことを特徴とする請求項１記載のコンテンツ配信受信システム。
【請求項３】
前記映像出力部は、前記電子透かし検出部が前記コンテンツ受信部によって受信したコンテンツから自ユーザ端末に割り当てられているユーザＩＤ以外のユーザＩＤを検出した場合には、受信コンテンツを表示しない
ことを特徴とする請求項２記載のコンテンツ配信受信システム。
【請求項４】
前記映像出力部は、前記電子透かし検出部が前記コンテンツ受信部によって受信したコンテンツから自ユーザ端末に割り当てられているユーザＩＤ以外のユーザＩＤを検出した場合には、警告を表示する
ことを特徴とする請求項２記載のコンテンツ配信受信システム。
【請求項５】
前記電子透かし検出部は、前記コンテンツ受信部によって受信したコンテンツから自ユーザ端末に割り当てられているユーザＩＤ以外のユーザＩＤを検出した場合には、検出した情報を出力する
ことを特徴とする請求項２記載のコンテンツ配信受信システム。
【請求項６】
前記電子透かし検出部は、前記コンテンツ受信部によって受信したコンテンツからコンテンツＩＤを検出し、前記ユーザ端末に登録されているコンテンツＩＤを検出しない場合は、不正な受信コンテンツとして出力せずに、検出した情報を出力する
ことを特徴とする請求項２記載のコンテンツ配信受信システム。
【請求項７】
配信時に、配信コンテンツに割り当てられたコンテンツＩＤを電子透かしで埋め込むステップと、
前記コンテンツＩＤが埋め込まれた配信コンテンツを配信するステップと、
受信時に、受信コンテンツからユーザＩＤを検出するステップと、
前記ユーザＩＤを検出しない場合には、前記受信コンテンツへ自ユーザ端末に割り当てられているユーザＩＤを電子透かしで埋め込むステップと
を含むことを特徴とするコンテンツ配信受信方法。
【請求項８】
前記ユーザＩＤを検出した場合には、検出した情報を、不正ユーザを特定する認証センターに通知するステップ
をさらに含むことを特徴とする請求項７記載のコンテンツ配信受信方法。
【請求項９】
自ユーザ端末に割り当てられているユーザＩＤを検出した場合には、正しい受信コンテンツとして表示するステップ
をさらに含むことを特徴とする請求項７記載のコンテンツ配信受信方法。
【請求項１０】
自ユーザ端末に割り当てられているユーザＩＤ以外のユーザＩＤを検出した場合には、受信コンテンツを表示しないステップ
をさらに含むことを特徴とする請求項７記載のコンテンツ配信受信方法。
【請求項１１】
自ユーザ端末に割り当てられているユーザＩＤ以外のユーザＩＤを検出した場合には、警告を表示するステップ
をさらに含むことを特徴とする請求項７記載のコンテンツ配信受信方法。
【請求項１２】
受信コンテンツからコンテンツＩＤを検出し、ユーザ端末に登録されているコンテンツＩＤを検出しない場合は、検出した情報を、不正ユーザを特定する認証センターに通知するステップ
をさらに含むことを特徴とする請求項７記載のコンテンツ配信受信方法。
【発明の詳細な説明】
【技術分野】
【０００１】
この発明は、配信時には、デジタルコンテンツにコンテンツＩＤ（配信コンテンツに割り当てられたＩＤ）を電子透かしで埋め込み、受信時には、受信コンテンツからユーザＩＤの検出を実施するコンテンツ配信受信システム及びコンテンツ配信受信方法に関するものである。
【背景技術】
【０００２】
利用者側で電子透かしを使って利用者情報をコンテンツへ効率よく埋め込みながら、電子透かし情報の埋め込みの不正なキャンセルや、偽の電子透かし情報の埋め込みを防止できるようにする技術の提供を目的として、コンテンツを複数の部分に分割して、それぞれの分割部分に対して複数の電子透かしを用意し、個々のユーザに対する電子透かしを、抽出された分割部分の電子透かしの値の組み合わせとするという構成を採る。これにより、ユーザ側で、ユーザに固有な電子透かし情報をコンテンツに埋め込むという形態をとりつつ、そのとき埋め込む電子透かし情報とその埋め込み処理とについては、実際には提供側で制御するようにしており、これにより、ユーザ側で、電子透かし情報の埋め込みを不正にキャンセルしたり、偽の電子透かし情報が埋め込まれることを防止できるようになる方法を提案している（例えば、特許文献１参照）。
【０００３】
画像データの円滑な流通を促進させることなどのために，画像データへの情報の追加埋め込みを，安全・確実に行うことができるようにすることを目的として、符号化した画像データを元の画像に復元する逆符号化装置の処理と，画像データに情報を埋め込む電子透かし挿入装置の処理とを分離不可能に構成し，画像データから元画像を復元する際に，逆符号化装置によって復元処理を行うとともに，電子透かし挿入装置によって情報の埋め込み処理を行うことにより，逆符号化装置にて元画像を得る段階で情報を埋め込むようにしている（例えば、特許文献２参照）。
【０００４】
【特許文献１】特開２００３−７８５２０号公報
【特許文献２】特開平１０−１９１０２５号公報
【発明の開示】
【発明が解決しようとする課題】
【０００５】
従来のコンテンツを複数の部分に分割して、それぞれの分割部分に対して複数の電子透かしを用意し、個々のユーザに対する電子透かしを、抽出された分割部分の電子透かしの値の組み合わせとする配信・受信方法では、１つのコンテンツを安全に配信するためには、暗号化された複数のコンテンツを配信する必要があり、ネットワークやユーザに多大な負荷を強制するという問題があった。また、コンテンツ配布先ユーザに配布した鍵束と、この鍵束により復号されるコンテンツから読み出される電子透かし情報との膨大な対応関係を記録しておく必要があり、さらに、不正コンテンツの検出のためにはこの膨大な記録との照合が必要であり、不正コンテンツの検出コストが大きくなるという問題があった。また、提案している構成では、不正コンテンツ検出はユーザが受信したすべてのコンテンツに対して実施されず、検査対象になったコンテンツに対してだけ実施されるため、不正コンテンツの発見や抑制には不十分であるという問題があった。また、どのようなコンテンツが検査対象になるかについては開示されていない。仮にコンテンツ復号装置が復号したコンテンツすべてを検査対象とする場合、検査対象コンテンツを検査機関に送付する必要があるため、ネットワークやユーザに多大な負荷を強制することになるという問題があった。
【０００６】
符号化した画像データを元の画像に復元する逆符号化装置の処理と、画像データに情報を埋め込む電子透かし挿入装置の処理とを分離不可能に構成し、画像データから元画像を復元する際に、逆符号化装置によって復元処理を行うとともに、電子透かし挿入装置によって情報の埋め込み処理を行うことにより、逆符号化装置にて元画像を得る段階で情報を埋め込むようにした方法では、電子透かしの埋め込みのタイミングについては述べられているが、不正検出方法については開示されていないという問題があった。
【０００７】
この発明は、上述のような課題を解決するためになされたもので、その目的は、ネットワークやユーザに多大な負荷を強制することなく、不正コピーコンテンツを検出することができるとともに、不正コピーを抑制することができるコンテンツ配信受信システム及びコンテンツ配信受信方法を得るものである。
【課題を解決するための手段】
【０００８】
この発明に係るコンテンツ配信受信システムは、コンテンツ配信装置、ユーザ端末、及び認証センターがネットワークに接続されたコンテンツ配信受信システムであって、前記コンテンツ配信装置は、配信コンテンツに割り当てられたコンテンツＩＤを電子透かしで埋め込む第１の電子透かし埋め込み部と、前記第１の電子透かし埋め込み部によってコンテンツＩＤが埋め込まれた配信コンテンツを、前記ユーザ端末に対して配信するコンテンツ配信部とを有し、前記ユーザ端末は、前記コンテンツ配信装置から配信されたコンテンツを受信するコンテンツ受信部と、前記コンテンツ受信部によって受信したコンテンツからユーザＩＤを検出し、前記ユーザＩＤを検出しない場合は、正しい受信コンテンツとして出力し、前記ユーザＩＤを検出した場合には、不正な受信コンテンツとして出力せずに、検出した情報を出力する電子透かし検出部と、前記電子透かし検出部によって出力された正しい受信コンテンツに対して自ユーザ端末に割り当てられているユーザＩＤを電子透かしで埋め込む第２の電子透かし埋め込み部と、前記第２の電子透かし埋め込み部によってユーザＩＤが埋め込まれた受信コンテンツを表示する映像出力部と、前記電子透かし検出部から受け取った検出情報を前記認証センターに通知する検出情報通知部とを有するものである。
【発明の効果】
【０００９】
この発明に係るコンテンツ配信受信システムは、ネットワークやユーザに多大な負荷を強制することなく、不正コピーコンテンツを検出することができるとともに、不正コピーを抑制することができるという効果を奏する。
【発明を実施するための最良の形態】
【００１０】
実施の形態１．
この発明の実施の形態１に係るコンテンツ配信受信システムについて図１から図３までを参照しながら説明する。図１は、この発明の実施の形態１に係るコンテンツ配信受信システムのコンテンツ配信装置の構成を示すブロック図である。なお、各図中、同一符号は同一又は相当部分を示す。
【００１１】
図１において、この実施の形態１に係るコンテンツ配信装置１０は、電子透かし埋め込み部１１と、コンテンツ配信部１２とが設けられている。
【００１２】
図２は、この発明の実施の形態１に係るコンテンツ配信受信システムのユーザ端末の構成を示すブロック図である。図２において、この実施の形態１に係るユーザ端末２０は、コンテンツ受信部２１と、電子透かし検出部２２と、電子透かし埋め込み部２３と、映像出力部２４と、検出情報通知部２５とが設けられている。
【００１３】
図３は、この発明の実施の形態１に係るコンテンツ配信受信システムの認証センターの構成を示すブロック図である。図３において、この実施の形態１に係る認証センター３０は、検出情報受信部３１と、検出情報検査部３２と、登録情報データベース３３と、検査結果出力部３４とが設けられている。
【００１４】
この実施の形態１に係るコンテンツ配信受信システムは、ネットワークに接続された、コンテンツ配信装置１０と、ユーザ端末２０と、認証センター（サーバ）３０とが設けられている。
【００１５】
つぎに、この実施の形態１に係るコンテンツ配信受信システムの動作について図面を参照しながら説明する。まず、コンテンツ配信装置１０の動作について説明する。
【００１６】
コンテンツ配信装置１０は、ユーザからのリクエストにしたがって配信デジタルコンテンツを選択し、電子透かし埋め込み部１１により当該配信コンテンツに割り当てられたコンテンツＩＤを当該配信コンテンツに電子透かしとして埋め込む。
【００１７】
ここで、当該配信コンテンツには、配信先のユーザに割り当てられたユーザＩＤは埋め込まない。なお、埋め込みで利用する電子透かし方式が対応していれば、電子透かしが埋め込み先の配信コンテンツに対し、圧縮符号化やスクランブルなどの処理が事前に施されていてもよい。電子透かし埋め込みに利用する電子透かし方式が非圧縮コンテンツ以外に電子透かしを埋め込めない場合には、電子透かし埋め込み部１１の後段の処理として、圧縮符号化部など必要な処理装置を追加してもよい。
【００１８】
なお、コンテンツＩＤなど配信コンテンツの特定に関わる情報は、後述の図３に示す認証センター３０にあらかじめ登録しておく。
【００１９】
電子透かし埋め込み部１１でコンテンツＩＤが埋め込まれた配信コンテンツは、コンテンツ配信部１２に渡される。このコンテンツ配信部１２は、リクエストしたユーザに対して当該配信コンテンツを配信する。
【００２０】
なお、電子透かし埋め込み部１１で電子透かし埋め込みに利用する電子透かし方式が非圧縮コンテンツ以外に電子透かしを埋め込めない場合には、電子透かし埋め込み部１１に圧縮符号化機能など必要な処理機能を追加してもよい。
【００２１】
次に、当該ユーザ端末２０の動作について説明する。
【００２２】
ユーザ端末２０のコンテンツ受信部２１は、コンテンツ配信装置１０から配信されたコンテンツを受信し、電子透かし検出部２２に渡す。電子透かし検出部２２では、コンテンツ閲覧前に当該受信コンテンツからユーザＩＤの検出を試みる。ユーザＩＤが検出されなかった場合には、当該受信コンテンツを電子透かし埋め込み部２３に渡す。電子透かし埋め込み部２３では、当該受信コンテンツに対して当該ユーザ端末２０にあらかじめ割り当てられているユーザＩＤを電子透かしとして埋め込んだあと、そのコンテンツを映像出力部２４に渡す。映像出力部２４では、当該コンテンツをモニタなどに出力する。
【００２３】
なお、ユーザＩＤなどコンテンツの受信に必要な情報は、後述の図３に示す認証センター３０にあらかじめ登録しておく。あるいは、コンテンツ受信のためには、認証センター３０からユーザＩＤを発行してもらうようにしてもよい。
【００２４】
電子透かし検出部２２において、当該ユーザ端末２０にあらかじめ割り当てられたユーザＩＤ以外のユーザＩＤが検出された場合は、不正コピーされたコンテンツを受信した可能性があるので、検出情報を検出情報通知部２５に渡す。また、当該受信コンテンツは電子透かし埋め込み部２３に渡さない。さらに、警告表示を映像出力部２４に渡す。
【００２５】
なお、電子透かし検出部２２において、当該ユーザ端末２０にあらかじめ割り当てられたユーザＩＤが検出された場合は、自分のユーザＩＤを埋め込んだコンテンツが一旦外部へ出力され、そのコンテンツがコンテンツ受信部２１から受信された場合であるので、当該受信コンテンツを映像出力部２４に渡す。
【００２６】
検出情報を受け取った検出情報通知部２５では、当該検出情報を認証センター３０に通知する。映像出力部２４では、受け取った警告表示をモニタなどに出力する。
【００２７】
上記の説明では、電子透かし検出部２２において、ユーザＩＤの検出だけを試みるようにしているが、コンテンツＩＤも同時に検出するようにしてもよい。また、電子透かし検出部２２において、当該ユーザ端末２０にあらかじめ割り当てられたユーザＩＤ以外のユーザＩＤが検出された場合に検出情報を検出情報通知部２５に渡すようにしているが、検出情報の内容にかかわらず、検出した情報をすべて検出情報通知部２５に渡し、当該検出情報を認証センター３０に通知するようにしてもよい。
【００２８】
さらに、ユーザ端末２０に出力可能なコンテンツＩＤを登録しておき、電子透かし検出部２２で検出したコンテンツＩＤがユーザ端末２０に登録されていない場合には、当該受信コンテンツは電子透かし埋め込み部２３に渡さずに、警告表示を映像出力部２４に渡すようにしてもよい。
【００２９】
また、上記の説明では、電子透かし検出部２２において、当該ユーザ端末２０にあらかじめ割り当てられたユーザＩＤ以外のユーザＩＤが検出された場合に、当該受信コンテンツは電子透かし埋め込み部２３に渡さないようにしているが、検出された情報の内容にかかわらず受信コンテンツを電子透かし埋め込み部２３に渡すようにしてもよい。ただし、この場合でも検出情報は検出情報通知部２５を通じて認証センター３０に通知される。
【００３０】
次に、当該認証センター３０の動作について説明する。
【００３１】
認証センター３０の検出情報受信部３１は、ユーザ端末２０から通知された検出情報を受信し、検出情報検査部３２に渡す。この検出情報検査部３２では、当該検出情報を登録情報データベース３３と照合し、検出情報から検索されたユーザ情報などの検査結果を検査結果出力部３４に渡す。この検査結果出力部３４は、ユーザ情報などの検査結果をモニタなどに出力する。
【００３２】
上記の説明では、検査結果出力部３４は、検査結果をモニタなどに出力するようにしたが、検査結果が「未登録」など不正の可能性を示す結果の場合は、警察や不正調査機関などに対して当該情報を出力するようにしてもよい。
【００３３】
以上のように、この実施の形態１に係るコンテンツ配信受信システムにおいては、配信時には、コンテンツ配信装置１０で配信コンテンツに割り当てられたＩＤ（コンテンツＩＤ）を電子透かしで埋め込む一方、ユーザＩＤを電子透かしで埋め込まないようにし、配信されたコンテンツの受信者であるユーザ端末２０では、コンテンツ閲覧前に受信コンテンツからユーザＩＤの検出を試み、当該ユーザ端末２０にあらかじめ割り当てられたユーザＩＤ以外のユーザＩＤが検出された場合には、不正コピーされたコンテンツを受信した可能性があるものとして検出情報を認証センター３０に通知するとともに当該受信コンテンツを表示させないようにし、当該認証センター３０では検出情報から検索されたユーザ情報などの検査結果を出力して不正ユーザを特定できるようにするとともに、コンテンツ閲覧前に受信コンテンツに閲覧者のユーザＩＤを電子透かしで埋め込むようにしているので、ネットワークやユーザに多大な負荷を強制することなく、不正コピーコンテンツを検出するとともに、不正コピーを抑制することが可能になる。
【図面の簡単な説明】
【００３４】
【図１】この発明の実施の形態１に係るコンテンツ配信受信システムのコンテンツ配信装置の構成を示すブロック図である。
【図２】この発明の実施の形態１に係るコンテンツ配信受信システムのユーザ端末の構成を示すブロック図である。
【図３】この発明の実施の形態１に係るコンテンツ配信受信システムの認証センターの構成を示すブロック図である。
【符号の説明】
【００３５】
１０  コンテンツ配信装置、１１  電子透かし埋め込み部、１２  コンテンツ配信部、２０  ユーザ端末、２１  コンテンツ受信部、２２  電子透かし検出部、２３  電子透かし埋め込み部、２４  映像出力部、２５  検出情報通知部、３０  認証センター、３１  検出情報受信部、３２  検出情報検査部、３３  登録情報データベース、３４  検査結果出力部。
【図１】
2006319722.tif 000003
【図２】
2006319722.tif 000004
【図３】
2006319722.tif 000005